(57)【要約】【課題】部品点数を増加させることなく、組み立て工程の複雑化を抑えることができる端子台を提供する。【解決手段】プッシャの第１係合部とターミナルの第１被係合部とを互いに係合させることによって、少なくともターミナルの前後方向の移動を規制し、プッシャの第２係合部とターミナルの第２被係合部とを互いに係合させることによって、少なくともターミナルの左右方向の移動を規制し、弾性部材は、ターミナルが挿入された状態の本体部に対して前後方向に沿ってケーブルが挿入されたときに、ケーブルを上下方向に付勢し、これによってケーブルを保持する。【選択図】図１
2020191190.tif 000002
【特許請求の範囲】
【請求項１】
本体部と、
前記本体部に対して、その前後方向に沿って挿入されるターミナルと、
前記本体部に対して、前記前後方向に直交する上下方向に沿って挿入されるプッシャと、
前記ターミナル内に設けられた弾性部材と備え、
前記ターミナルは、前記本体部に挿入されたときに、上壁部と下壁部がそれぞれ前記本体部の内壁に接触することによって前記上下方向の位置が決められ、
前記前後方向と前記上下方向の両方向に直交する方向を左右方向としたとき、
前記プッシャの第１係合部と前記ターミナルの第１被係合部とを互いに係合させることによって、少なくとも前記ターミナルの前記前後方向の移動を規制し、
前記プッシャの第２係合部と前記ターミナルの第２被係合部とを互いに係合させることによって、少なくとも前記ターミナルの前記左右方向の移動を規制し、
前記弾性部材は、前記ターミナルが挿入された状態の前記本体部に対して前記前後方向に沿ってケーブルが挿入されたときに、前記ケーブルを前記上下方向に付勢し、これによって前記ケーブルを保持することを特徴とする端子台。
【請求項２】
前記第１係合部は前記左右方向に突出する突起部であり、前記第２係合部は前記上下方向に延びる壁部であり、
前記第１被係合部は前記左右方向に凹むように形成された溝部であり、前記第２被係合部は前記上下方向に凹むように形成された溝部である請求項１に記載の端子台。
【請求項３】
前記第１係合部は、前記上下方向において前記第２係合部よりも下側まで延びる腕部の先端に設けられ、
前記第２係合部は、前記第２被係合部と互いに係合する凹部を備える請求項２に記載の端子台。
【請求項４】
前記第１被係合部は、前記ターミナルの前端から後側へ凹むように形成され、
前記第２被係合部は、前記ターミナルの左端から右側へ凹むように形成されている請求項３に記載の端子台。
【請求項５】
前記ターミナルは、前記上壁部と前記下壁部とを互いに接続するように上下方向に延びる側壁部を備え、
前記第１被係合部は、前記ターミナルの側壁部を前記左右方向に貫通するように形成され、
前記第２被係合部は、前記ターミナルの前記上壁部を前記上下方向に貫通するように形成されている請求項４に記載の端子台。
【請求項６】
前記第２被係合部の前記溝部は、前記前後方向に複数並んで形成され、
前記第２係合部の前記壁部は、前記第２被係合部の複数の前記溝部に対応するように、前記前後方向に複数並んで形成されている請求項２又は請求項３に記載の端子台。
【請求項７】
前記第１係合部と前記第２係合部は、前記左右方向に突出する共通の突起部であり、
前記第１被係合部と前記第２被係合部は、前記左右方向に凹むように形成された共通の溝部であり、
前記共通の突起部は、前記共通の溝部に嵌入される請求項１に記載の端子台。
【発明の詳細な説明】
【技術分野】
【０００１】
本発明は、端子台、特に、空調機、給湯器等の室内機と室外機とをケーブル接続するための端子台に関する。
【背景技術】
【０００２】
従来の端子台では、本体内に組み込まれるターミナルを本体に係止するために、ケーブルを付勢するばね材とは別個のばね材を用いていた。このばね材は、平面視において前後方向に延び、その前端部が本体の内壁に当接するとともに、後端部が、本体に設けられた溝部に挿入・係止されることで本体の底部に固定される。さらに、このばね材は、左右方向に延びるクリップ部を備え、このクリップ部がターミナルに設けられた溝部内に挿入されることで、ターミナルを本体内の所定位置に保持する。しかし、この端子台では、このようなばね材を追加するため、部品点数が増え、組立工程が複雑化していた。
【０００３】
これに対して、特許文献１に記載の端子台では、ターミナルに切り込み部を設けて下方に屈曲させた片部を形成し、この片部を本体に設けた溝部内に挿入・係止させている。これにより、従来の端子台のような別部材のばね材を追加することなく、ターミナルを本体内の所定位置に保持することが可能となることから、部品点数を少なくでき、組み立て性を良くすることができるとしている。
【先行技術文献】
【特許文献】
【０００４】
【特許文献１】特開２００６−７９９００号公報
【発明の概要】
【発明が解決しようとする課題】
【０００５】
しかしながら、特許文献１に記載の端子台では、別部材のばね材の追加は不要となるものの、ターミナルに切り込み部を設け、折り曲げ加工によって片部を形成するという新たな工程が追加されるため、組み立て工程が増えて複雑化するという問題があった。
【０００６】
そこで本発明は、部品点数を増加させることなく、組み立て工程の複雑化を抑えることができる端子台を提供することを目的とする。
【課題を解決するための手段】
【０００７】
上記課題を解決するために、本発明の端子台は、本体部と、本体部に対して、その前後方向に沿って挿入されるターミナルと、本体部に対して、前後方向に直交する上下方向に沿って挿入されるプッシャと、ターミナル内に設けられた弾性部材と備え、ターミナルは、本体部に挿入されたときに、上壁部と下壁部がそれぞれ本体部の内壁に接触することによって上下方向の位置が決められ、前後方向と上下方向の両方向に直交する方向を左右方向としたとき、プッシャの第１係合部とターミナルの第１被係合部とを互いに係合させることによって、少なくともターミナルの前後方向の移動を規制し、プッシャの第２係合部とターミナルの第２被係合部とを互いに係合させることによって、少なくともターミナルの左右方向の移動を規制し、弾性部材は、ターミナルが挿入された状態の本体部に対して前後方向に沿ってケーブルが挿入されたときに、ケーブルを上下方向に付勢し、これによってケーブルを保持することを特徴としている。
【０００８】
本発明の端子台において、第１係合部は左右方向に突出する突起部であり、第２係合部は上下方向に延びる壁部であり、第１被係合部は左右方向に凹むように形成された溝部であり、第２被係合部は上下方向に凹むように形成された溝部であることが好ましい。
【０００９】
本発明の端子台において、第１係合部は、上下方向において第２係合部よりも下側まで延びる腕部の先端に設けられ、第２係合部は、第２被係合部と互いに係合する凹部を備えることが好ましい。
【００１０】
本発明の端子台において、第１被係合部は、ターミナルの前端から後側へ凹むように形成され、第２被係合部は、ターミナルの左端から右側へ凹むように形成されていることが好ましい。
【００１１】
本発明の端子台において、ターミナルは、上壁部と下壁部とを互いに接続するように上下方向に延びる側壁部を備え、第１被係合部は、ターミナルの側壁部を左右方向に貫通するように形成され、第２被係合部は、ターミナルの上壁部を上下方向に貫通するように形成されていることが好ましい。
【００１２】
本発明の端子台において、第２被係合部の溝部は、前後方向に複数並んで形成され、第２係合部の壁部は、第２被係合部の複数の溝部に対応するように、前後方向に複数並んで形成されていることが好ましい。
【００１３】
本発明の端子台において、第１係合部と第２係合部は、左右方向に突出する共通の突起部であり、第１被係合部と第２被係合部は、左右方向に凹むように形成された共通の溝部であり、共通の突起部は、共通の溝部に嵌入されることが好ましい。
【発明の効果】
【００１４】
本発明によると、部品点数を増加させることなく、組み立て工程の複雑化を抑えることができため、部品コストや製造コストを抑えることができ、省力化を図ることが可能となる端子台を提供することができる。
【図面の簡単な説明】
【００１５】
【図１】本発明の第１実施形態に係る端子台の外観形状を示す図であって、（ａ）は上方右後側から見た斜視図、（ｂ）は上方左前側から見た斜視図、（ｃ）は上方から見た平面図である。
【図２】第１実施形態におけるターミナルの構成を示す図であって、（ａ）は上方右前側から見た斜視図、（ｂ）は上方左前側から見た斜視図、（ｃ）は右側からみた側面図、（ｄ）は左側から見た側面図である。
【図３】第１実施形態における板ばねの構成を示す図であって、（ａ）は上方右前側から見た斜視図、（ｂ）は上方左前側から見た斜視図、（ｃ）は左側から見た側面図である。
【図４】第１実施形態におけるプッシャの構成を示す図であって、（ａ）は下方右前側から見た斜視図、（ｂ）は上方左後側から見た斜視図、（ｃ）は正面図、（ｄ）は背面図である。
【図５】第１実施形態における端子台の本体部に対して、板ばね４０を装着したターミナル３０を挿入する状態を示す図である。
【図６】第１実施形態において、本体部に対して、プッシャを挿入する過程を順に示す断面図である。
【図７】第１実施形態において、本体部に対して、プッシャを挿入する過程を順に示す断面図である。
【図８】（ａ）は、本体部に対して、ケーブルを挿入する前の状態を示す断面図、（ｂ）は本体部内にケーブルが挿入された状態を示す断面図、（ｃ）は本体部からケーブルを取り外す状態を示す断面図である。
【図９】（ａ）は、第２実施形態における、ターミナル、板ばね、及び、プッシャの構成を示す斜視図、（ｂ）は、第２実施形態に係る端子台の構成を示す断面図である。
【図１０】（ａ）は、第３実施形態における、ターミナル、板ばね、及び、プッシャの構成を示す斜視図、（ｂ）は、第３実施形態に係る端子台の構成を示す断面図である。
【発明を実施するための形態】
【００１６】
以下、本発明の実施形態に係る端子台について図面を参照しつつ詳しく説明する。本実施形態の端子台は空調機、給湯器等の室内機と室外機とをケーブル接続するための端子台であり、ケーブルは単線を用いる。
【００１７】
＜第１実施形態＞
図１は端子台１０の外観形状を示す図であって、（ａ）は上方右後側から見た斜視図、（ｂ）は上方左前側から見た斜視図、（ｃ）は上方から見た平面図である。図２は、ターミナル３０の構成を示す図であって、（ａ）は上方右前側から見た斜視図、（ｂ）は上方左前側から見た斜視図、（ｃ）は右側からみた側面図、（ｄ）は左側から見た側面図である。図３は弾性部材としての板ばね４０の構成を示す図であって、（ａ）は上方右前側から見た斜視図、（ｂ）は上方左前側から見た斜視図、（ｃ）は左側から見た側面図である。図４は、プッシャ５０の構成を示す図であって、（ａ）は下方右前側から見た斜視図、（ｂ）は上方左後側から見た斜視図、（ｃ）は正面図、（ｄ）は背面図である。図５は、端子台１０の本体部２０に対して、板ばね４０を装着したターミナル３０を挿入する状態を示す図であって、本体部２０を上下方向に沿った縦断面図で示している。
【００１８】
図６（ａ）〜（ｃ）と図７（ａ）〜（ｃ）は、ターミナル３０及び板ばね４０が挿入された状態の本体部２０に対して、プッシャ５０を挿入する過程を順に示す図であって、図６（ａ）〜（ｃ）は左側から見た断面図、図７（ａ）〜（ｃ）は前側から見た断面図である。図６（ａ）と図７（ａ）は、本体部２０に対して、プッシャ５０を入れる前の状態を示し、図６（ｂ）と図７（ｂ）は本体部２０内にプッシャ５０の一部を挿入した状態を示し、図６（ｃ）と図７（ｃ）は本体部２０内へのプッシャ５０の挿入が完了した状態を示す。図８（ａ）は、プッシャ５０を挿入した状態の本体部２０に対して、ケーブル６０を挿入する前の状態を示す断面図、（ｂ）は本体部２０内にケーブル６０が挿入された状態を示す断面図、（ｃ）は本体部２０からケーブル６０を取り外す状態を示す断面図である。
【００１９】
図５、図６（ａ）、（ｂ）、（ｃ）、及び、図８（ａ）、（ｂ）、（ｃ）は図１（ｃ）のＡ−Ａ’線における断面図、図７（ａ）、（ｂ）、（ｃ）は、図１（ｃ）のＢ−Ｂ’線における断面図である。各図には、基準座標としてＸ−Ｙ−Ｚ座標が示されている。Ｘ１−Ｘ２方向（Ｘ軸方向）は前後方向、Ｙ１−Ｙ２方向（Ｙ軸方向）は左右方向、Ｚ１−Ｚ２方向（Ｚ軸方向）は上下方向をそれぞれ示す。Ｘ１−Ｘ２方向、Ｙ１−Ｙ２方向、及び、Ｚ１−Ｚ２方向は互いに直交する。以下の説明において、Ｚ軸に沿って上側から見た状態を平面視ということがある。また、端子台１０は、図１〜８に示す以外の向きに配置することもできる。
【００２０】
＜全体構成＞
図６（ｃ）と図８（ｃ）に示すように、本実施形態の端子台１０は、本体部２０と、ターミナル３０と、弾性部材としての板ばね４０と、プッシャ５０とを備える。
【００２１】
図５に示すように、ターミナル３０は、本体部２０の収容空間２１内に、その前後方向（Ｘ１−Ｘ２方向）に沿って、後側から挿入される。この挿入に先立って、ターミナル３０の内部空間３１内には、板ばね４０が配置される。図６（ａ）〜（ｃ）と図７（ａ）〜（ｃ）に示すように、プッシャ５０は、本体部２０に対して、上下方向（Ｚ１−Ｚ２方向）に沿って上側から挿入される。
【００２２】
端子台１０においては、本体部２０の前面を貫通するように挿入口２２が形成され（図１（ｂ）、図５、図８（ａ））、この挿入口２２から収容空間２１内へからケーブル６０が挿入される。本体部２０内に挿入されたケーブル６０は、ターミナル３０の上壁部３４と、板ばね４０の前方片４２及び上片４５と、によって挟持され、ターミナル３０に対して電気的に接続される。
【００２３】
＜ターミナル＞
図２（ａ）〜（ｄ）に示すように、ターミナル３０は、一枚の金属板を折り曲げることによって、ＸＹ面（Ｘ１−Ｘ２方向とＹ１−Ｙ２方向を含む面）内に延びる下壁部３２と、下壁部３２から略直角に折り曲げられて上側へ延びる側壁部３３と、側壁部３３から略直角に折り曲げられてＸＹ面内に延びる上壁部３４とが形成されている。下壁部３２と上壁部３４は互いに対向しつつ前後方向にそれぞれ延びている。このような構成により、ターミナル３０には、下壁部３２、側壁部３３、及び、上壁部３４で三方が囲まれる内部空間３１が形成され、この内部空間３１は、前側から見て略コの字状をなしている（図２（ｂ）参照）。
【００２４】
ターミナル３０の側壁部３３には、前後方向の中央近傍の所定位置に、その一部を切り込んで内部空間３１内に折り返した制止片３５が形成されている。側壁部３３の前端には、第１被係合部として第１凹部３６が設けられている。この第１凹部３６は、ターミナル３０の前端から後側へ凹む溝部として形成され、側壁部３３を左右方向に貫通している。
なお、第１凹部３６は、第１係合部５２ａと係合可能であれば左右方向に貫通しない有底の溝部としてもよい。
【００２５】
ターミナル３０の上壁部３４には、第２被係合部として第２凹部３７が設けられている。この第２凹部３７は、左端から右側へ凹む溝部として形成され、上壁部３４を上下に貫通するように設けられている。
なお、第２凹部３７は、第２係合部５３ａと係合可能であれば上下方向に貫通しない有底の溝部としてもよい。
【００２６】
＜板ばね（弾性部材）＞
図３（ａ）〜（ｄ）に示すように、板ばね４０は、一枚の金属板を折り曲げて形成したものであり、ＸＹ面内において前後方向に延びるベース部４１と、ベース部４１の前部から延びる前方片４２と、ベース部４１の後部から延びる後方片４３と、後方片４３からさらに延びる屈曲片４４と、屈曲片４４から延びる上片４５とを備える。前方片４２は、ベース部４１の前部において、上側後方へ延びるように折り曲げ形成されている。後方片４３は、ベース部４１の後部から略直角に折り曲げられて上方へ延びている。屈曲片４４は、後方片４３の上端から前方へ延ばした後に上側後方へ折り返されている。上片４５は、屈曲片４４の後端４６（図３（ｃ））から、後方下向きに延びるように形成されている。
【００２７】
以上の構成において、上片４５又は屈曲片４４の後端４６に対して下向きの外力が加わると、屈曲片４４や上片４５の変形によって、上片４５は、外力の大きさに応じて下側へ付勢され、ベース部４１へ近づく。このとき、屈曲片４４や上片４５の弾性力によって、上片４５が元の位置に戻ろうとする、上向きの力が生じる。
【００２８】
前方片４２に対して下方又は後方向きの外力が加わった場合には、前方片４２は、外力の大きさに応じて下側へ屈曲するように付勢され、ベース部４１へ近づくように変形する。このとき、前方片４２の弾性力によって、前方片４２が元の形状に戻ろうとする力が生じる。
【００２９】
なお、本実施形態では、弾性部材の一例として板ばね４０を挙げたが、これに代えて、ベース部４１、前方片４２、後方片４３、屈曲片４４、及び、上片４５と同様の位置関係を有しており、これらと同様の弾性力を有する弾性部材を用いることもできる。
【００３０】
＜プッシャ＞
プッシャ５０は非導電性材料で構成され、例えば、樹脂を成形することによって製造される。図４（ａ）〜（ｄ）に示すように、プッシャ５０は、左右方向に延びる本体部５１と、本体部５１から下向きにそれぞれ延びる、第１腕部５２及び第２腕部５３とを備える。図４（ａ）〜（ｄ）に例示するプッシャ５０においては、第１腕部５２は２本設けられ、第２腕部５３は、左右方向において、２本の第１腕部５２の間に１本設けられるとともに、２本の第１腕部５２のそれぞれの外側に１本ずつ設けられている。
なお、第１腕部５２と第２腕部５３の本数は、端子台の仕様等に応じて任意に設定することができる。
【００３１】
図４（ａ）〜（ｄ）に示すように、第１腕部５２は、左右方向に弾性変形可能となるような厚さで設けられている。第１腕部５２の下部には第１係合部５２ａが設けられている。この第１係合部５２ａは、上部が左側へ突出し、下側へ向かうほど左右方向の幅が狭くなるような傾斜形状を有する突起部として形成されている。
【００３２】
図４（ａ）、（ｃ）に示すように、第２腕部５３の前面の右下部分には、後方向に凹んだ凹部を形成することにより、本体部５１や第１腕部５２よりも前後方向の厚みが小さく、上下方向に延びる薄い壁部としての第２係合部５３ａが設けられている。この第２係合部５３ａは、第１係合部５２ａよりも上側に位置している。
【００３３】
＜端子台の製造工程＞
図５に示すように、ターミナル３０の内部空間３１内には予め板ばね４０が収容される。板ばね４０は、ターミナル３０の下壁部３２上に載置され、ターミナル３０の制止片３５に対して後方片４３が当接することによって前後方向の位置が定められる。このターミナル３０は、本体部２０の後側から収容空間２１内へ挿入される。
【００３４】
図６（ａ）に示すように、本体部２０の収容空間２１内へ挿入されたターミナル３０は、下壁部３２、側壁部３３、及び上壁部３４が本体部２０の内壁２６、２７、２８（図５、図６）にそれぞれ接触し、これによって上下左右方向の位置が定められた状態でさらに挿入される。ターミナル３０内に収容された板ばね４０の前方片４２はターミナル３０の前部において露出しており、ターミナル３０が本体部２０の収容空間２１内へ挿入されていくと本体部２０の内壁２９に突き当たる。板ばね４０はターミナル３０の制止片３５によって後方への移動が規制されているため、収容空間２１内におけるターミナル３０の前方向への進行もこの位置で終了する。
【００３５】
このようにターミナル３０及び板ばね４０を所定位置に収容した本体部２０に対して、プッシャ５０が上側から上部開口２３内へ下向きに挿入される（図６（ａ）、図７（ａ））。図７（ａ）〜（ｃ）に示すように、本体部２０には、プッシャ５０の２つの第１腕部５２のそれぞれに対応する位置に、上下方向に延びる第１位置決め孔２４が設けられ、また、３つの第２腕部５３のそれぞれに対応する位置に、上下方向に沿って延びる第２位置決め孔２５が設けられている。第１位置決め孔２４と第２位置決め孔２５はそれぞれ上部開口２３に連通し、上下方向に沿って延びている。図７（ｂ）に示すように、上部開口２３から挿入されたプッシャ５０の２つの第１腕部５２は、対応する第１位置決め孔２４にそれぞれ挿入され、３つの第２腕部５３は対応する第２位置決め孔２５にそれぞれ挿入される。
【００３６】
図７（ｂ）に示すように、２本の第１腕部５２は、第１位置決め孔２４との位置関係によって、側壁部３３の外面に接触しつつ、右側（Ｙ２側）へ湾曲した状態で、第１位置決め孔２４内を下側へ進行する。その後、上下方向において、プッシャ５０の本体部５１の上面５１ａが本体部２０の上面２０ａに一致するまでプッシャ５０を本体部２０の収容空間２１内へ挿入すると、図７（ｃ）に示すように、第１腕部５２の第１係合部５２ａは、側壁部３３の第１凹部３６内へ入り込み、第１係合部５２ａと第１被係合部としての第１凹部３６とが互いに係合する。これによって、ターミナル３０及び板ばね４０の前後方向の移動が規制される。
【００３７】
また、３本の第２腕部５３は、プッシャ５０の本体部５１の上面５１ａが本体部２０の上面２０ａに一致するまでプッシャ５０を本体部２０の収容空間２１内へ挿入する過程において、第２係合部５３ａがターミナル３０の第２凹部３７内に挿通され、第２係合部５３ａと第２凹部３７とが互いに係合される（図６（ｂ）、（ｃ））。これによって、ターミナル３０及び板ばね４０は、前後方向と左右方向の移動が規制される。
【００３８】
以上の工程により、ターミナル３０及び板ばね４０は、上下方向においては本体部２０の内壁２６、２８によって位置決めされ、前後方向においては、第１凹部３６及び第２凹部３７への係合により移動が規制され、さらに、左右方向においても第２腕部５３の第２係合部５３ａにより移動が規制されることとなり、全体として本体部２０内において所定の位置に配置される。よって、プッシャ５０の挿入によって簡便にターミナル３０及び板ばね４０を位置決めすることができるため、部品点数を増加させることがなく、組み立て工程を複雑化することもない。
【００３９】
組み立てられた端子台１０に対しては、前側から挿入口２２内へ、単線のケーブル６０が挿入される（図８（ａ））。ケーブル６０は、その被覆部６２の先端部から露出された芯線６１がターミナル３０の内部空間３１内へ挿入される。ケーブル６０を前から後側へ移動させるに伴って、これに接触する前方片４２及び後端４６は後方向下向きに付勢される。図８（ｂ）に示すように、芯線６１と被覆部６２の境界部分が挿入口２２に当接したところでケーブル６０の挿入は完了し、内部空間３１内において、芯線６１は、前方片４２及び後端４６が元の位置に戻ろうとする弾性力によって上向きに付勢され、ターミナル３０の上壁部３４に当接する。これによって、ケーブル６０がターミナル３０内に保持されるとともに、ケーブル６０の芯線６１と上壁部３４とが電気的に接続される。
【００４０】
図８（ｃ）に示すように、本体部５１の上面５１ａが本体部２０の上面２０ａよりも下側に至るまでプッシャ５０を本体部２０内へ押し込むと、第２腕部５３の第２係合部５３ａによって板ばね４０の前方片４２が押し下げられる。これによって、前方片４２と芯線６１とが離間するため、板ばね４０による芯線６１の保持が解除され、ケーブル６０を本体部２０から容易に引き出すことが可能となる。ここで、第２係合部５３ａによって前方片４２を押し下げたときに前方片４２が屈曲片４４に接触すると、屈曲片４４も押し下げられるために後端４６の位置が下方にずれ、ケーブル６０の引き出しがより容易になる。
【００４１】
＜第２実施形態＞
図９（ａ）は、第２実施形態における、ターミナル１３０、板ばね１４０、及び、プッシャ１５０の構成を示す斜視図、（ｂ）は、第２実施形態に係る端子台１１０の構成を示す断面図である。図９（ｂ）は、図８（ｃ）に対応する位置の断面図である。
【００４２】
第２実施形態においては、ターミナル１３０に第２被係合部としての２つの溝部１３７ａ、１３７ｂが設けられ、プッシャ１５０に、第２係合部として、２つの壁部１５３ａ、１５３ｂが設けられている。
ここで、本体部１２０及び板ばね１４０は、第１実施形態の本体部２０及び板ばね４０と同様の構成を備える。
【００４３】
ターミナル１３０は、第１実施形態のターミナル３０と同様に、折り曲げ加工によって、下壁部１３２、側壁部１３３、及び、上壁部１３４が形成されており、側壁部１３３には、第１被係合部として第１凹部１３６が設けられている。この第１凹部１３６は、ターミナル１３０の前端から後側へ凹む溝部として形成され、側壁部１３３を左右方向に貫通している。
【００４４】
溝部１３７ａは、上壁部１３４の前端から後側へ凹むように設けられ、もう一つの溝部１３７ｂは、溝部１３７ａに対して前後方向に並んで設けられている。これら２つの溝部１３７ａ、１３７ｂは、第１実施形態の第２凹部３７と同様に、左端から右側へ凹むように、かつ、上壁部１３４を上下に貫通するように設けられている。
【００４５】
プッシャ１５０は、第１実施形態のプッシャ５０と同様に、例えば樹脂の成形により、本体部１５１と、本体部１５１から上下方向に沿って下向きにそれぞれ延びる２つの第１腕部１５２とを備える。
【００４６】
２つの壁部１５３ａ、１５３ｂは、本体部１５１から上下方向に沿って下向きに延びるようにそれぞれ設けられており、本体部１２０に対してプッシャ１５０を挿入するときに上記溝部１３７ａ、１３７ｂにそれぞれ対応する位置に、前後方向に並んで設けられている。２つの壁部１５３ａ、１５３ｂは、３組設けられ、左右方向において、２本の第１腕部１５２の間に１組設けられるとともに、２本の第１腕部１５２のそれぞれの外側に１組ずつ設けられている。
【００４７】
以上の構成において、第１実施形態と同様に、ターミナル１３０及び板ばね１４０を所定位置に収容した本体部１２０に対して、上側からプッシャ１５０が下向きに挿入され、２本の第１腕部１５２の下端から突出する突起部として形成された第１係合部１５２ａは、側壁部１３３の第１凹部１３６内へ入り込み、第１係合部１５２ａと第１被係合部としての第１凹部１３６とが互いに係合し、ターミナル１３０及び板ばね１４０の前後方向の移動が規制される。
【００４８】
３組の壁部１５３ａ、１５３ｂは、ターミナル１３０の溝部１３７ａ、１３７ｂ内にそれぞれ挿通され、それぞれ互いに係合される。これによって、ターミナル１３０及び板ばね１４０が、前後方向と左右方向の移動が規制される。
なお、溝部１３７ａ、１３７ｂ、及び、これに対応する壁部１５３ａ、１５３ｂの数は、２つずつに限定されず、３つ以上の複数並べて形成してもよい。
また、その他の作用、効果、変形例は第１実施形態と同様である。
【００４９】
＜第３実施形態＞
図１０（ａ）は、第３実施形態における、ターミナル２３０、板ばね２４０、及び、プッシャ２５０の構成の一部を拡大して示す斜視図、（ｂ）は、第３実施形態に係る端子台２１０の構成を示す断面図である。図１０（ｂ）は、図７（ｃ）に対応する位置での断面図である。
【００５０】
第３実施形態においては、ターミナル２３０に、第１被係合部及び第２被係合部として共通する溝部２３６が設けられている。ターミナル２３０の上壁部２３４には、第１実施形態の第２凹部３７に対応する凹部は設けられておらず、プッシャ２５０の第２腕部２５３においても、第１実施形態の第２係合部５３ａに対応する凹部は設けられていない。
ここで、本体部２２０及び板ばね２４０は、第１実施形態の本体部２０及び板ばね４０と同様の構成を備え、プッシャ２５０についても、第２腕部２５３に凹部を設けていない点を除いて、第１実施形態のプッシャ５０と同様の構成を備える。
【００５１】
ターミナル２３０は、第１実施形態のターミナル３０と同様に、折り曲げ加工によって、下壁部２３２、側壁部２３３、及び、上壁部２３４が形成されており、側壁部２３３には、第１被係合部及び第２被係合部としての溝部２３６が設けられている。溝部２３６は、ターミナル２３０の前端において上下に延びる舌片２３６ａに沿って上下に延びるように形成され、側壁部２３３を左右方向に貫通している。
【００５２】
以上の構成において、第１実施形態と同様に、ターミナル２３０及び板ばね２４０を所定位置に収容した本体部２２０に対して、上側からプッシャ２５０が下向きに挿入され、２本の第１腕部２５２の下端において第２係合部を兼ねる第１係合部２５２ａは、側壁部２３３の溝部２３６内へ嵌入され、第１係合部２５２ａと、第１被係合部及び第２被係合部としての溝部２３６とが互いに係合し、ターミナル２３０及び板ばね２４０の前後方向及び左右方向の移動が規制される。
本発明について上記実施形態を参照しつつ説明したが、本発明は上記実施形態に限定されるものではなく、改良の目的又は本発明の思想の範囲内において改良又は変更が可能である。
【産業上の利用可能性】
【００５３】
以上のように、本発明に係る端子台は、空調機、給湯器等の室内機と室外機とをケーブル接続するための端子台において、部品点数を増加させることなく、組み立て工程の複雑化を抑えることができる点で有用である。
【符号の説明】
【００５４】
１０    端子台
２０    本体部
２０ａ  上面
２１    収容空間
２２    挿入口
２３    上部開口
２４    第１位置決め孔
２５    第２位置決め孔
２６、２７、２８  内壁
３０    ターミナル
３１    内部空間
３２    下壁部
３３    側壁部
３４    上壁部
３５    制止片
３６    第１凹部（第１被係合部）
３７    第２凹部（第２被係合部）
４０    板ばね（弾性部材）
４１    ベース部
４２    前方片
４３    後方片
４４    屈曲片
４５    上片
４６    後端
５０    プッシャ
５１    本体部
５１ａ  上面
５２    第１腕部
５２ａ  第１係合部
５３    第２腕部
５３ａ  第２係合部
６０    ケーブル
６１    芯線
６２    被覆部
１１０    端子台
１２０    本体部
１３０    ターミナル
１３２    下壁部
１３３    側壁部
１３４    上壁部
１３６    第１凹部（第１被係合部）
１３７ａ、１３７ｂ  溝部（第２被係合部）
１４０    板ばね（弾性部材）
１５０    プッシャ
１５１    本体部
１５２    第１腕部
１５２ａ  第１係合部
１５３ａ、１５３ｂ  壁部（第２係合部）
２１０    端子台
２２０    本体部
２３０    ターミナル
２３２    下壁部
２３３    側壁部
２３４    上壁部
２３６    溝部（第１被係合部、第２被係合部）
２３６ａ  舌片
２４０    板ばね（弾性部材）
２５０    プッシャ
２５２    第１腕部
２５２ａ  第１係合部
２５３    第２腕部
【図１】
2020191190.tif 000003
【図２】
2020191190.tif 000004
【図３】
2020191190.tif 000005
【図４】
2020191190.tif 000006
【図５】
2020191190.tif 000007
【図６】
2020191190.tif 000008
【図７】
2020191190.tif 000009
【図８】
2020191190.tif 000010
【図９】
2020191190.tif 000011
【図１０】
2020191190.tif 000012